(57)【要約】      （修正有）【課題】毛染め時において染毛剤が眼に入ることを可及的に防ぐことが可能であるとともに、毛染め作業の邪魔にならない毛染め用ゴーグルを提供する。【解決手段】一対のアイカップ２０と、アイカップ２０を連結する鼻バンド３０と、アイカップ２０周縁部に設けられたフェイスパッドと、ゴーグル１０を顔に固定するための耳掛けストラップ５０とを含むゴーグル１０において、フェイスパッドの上部方向への長さを、上縁が着用者の眉毛上部より上部に至る長さに設けて構成する。また耳掛けストラップ５０をリング状に形成するとともに、略半周を細巾に、残部略半周を広巾に構成する。【選択図】図１
0003189403.tif 000002
【実用新案登録請求の範囲】
【請求項１】
一対のアイカップと、アイカップを連結する鼻バンドと、アイカップ周縁部に設けられたフェイスパッドと、ゴーグルを顔に固定するための耳掛けストラップとを含むゴーグルにおいて、
フェイスパッドの上部方向への長さを、上縁が着用者の眉毛上部より上部に至る長さに設けたことを特徴とする毛染め用ゴーグル。
【請求項２】
耳掛けストラップをリング状に形成するとともに、略半周を細巾に残部略半周を広巾に形成した請求項１に記載の毛染め用ゴーグル。
【考案の詳細な説明】
【技術分野】
【０００１】
本考案は毛染め時に使用される染毛剤から、目を保護するために用いられるゴーグルに関する。
【背景技術】
【０００２】
特許文献１には台形状の切り欠き部を有する非透水シートの縁部に粘着テープを取付けた毛染め用カバーが開示されている。
【０００３】
特許文献２には耳を覆うことが可能な楕円形状のカバーに通気孔を設けた毛染め時に着用する耳カバーが開示されている。
【先行技術文献】
【特許文献】
【０００４】
【特許文献１】特開２００３−１８９９２４号公報
【特許文献２】実開平６−５８８０３号公報
【考案の概要】
【考案が解決しようとする課題】
【０００５】
老若男女を問わず毛髪を染めることが一般的に行われているが、係る毛染めに用いられる染毛剤は劇薬のアルカリ溶液で、眼球に付着すると網膜等を溶かす恐れが有る。
【０００６】
しかるに、毛染めを行う者の多くは美容院その他のサロンにおいて施術を受けるのではなく、自宅で自ら行っているのが現状であり、上述の染毛剤の危険性を熟知せずに毛染めを行っている可能性がある。それゆえ、誤って染毛剤が目に入ってしまう恐れもあり、不慮の事故が生じかねない。
【０００７】
そこで、本考案は毛染め時において染毛剤が眼に入ることを可及的に防ぐことが可能であるとともに、毛染め作業の邪魔にならない毛染め用ゴーグルを提供することを目的とする。
【課題を解決するための手段】
【０００８】
上記の目的を達成する本考案の構成は次の通りである。
【０００９】
（１）  請求項１に記載の考案は、一対のアイカップと、アイカップを連結する鼻バンドと、アイカップ周縁部に設けられたフェイスパッドと、ゴーグルを顔に固定するための耳掛けストラップとを含むゴーグルにおいて、フェイスパッドの上部方向への長さを、上縁が着用者の眉毛上部より上部に至る長さに設けて構成した。
【００１０】
（２）  請求項２に記載の考案は、請求項１に記載のゴーグルにおいて、耳掛けストラップをリング状に形成するとともに、略半周を細巾に、残部略半周を広巾に構成した。
【考案の効果】
【００１１】
上記のように構成される本考案が、如何に作用して課題を解決するかを図面を参照しながら概説する。
【００１２】
本考案に係る毛染め用ゴーグル１０は、図６、図７に示すようにフェイスパッド４０の上縁４１が着用者６０の眉毛上部６１より上部にくるように構成してある。通常、人間の頭部から眼に至る部位において最も突出しているのは眉毛部位であり、係る部位にフェイスパッド４０の上縁４１位置することで、フェイスパッド４０が緊密に顔面に当接することになり、染毛剤の侵入をより効果的に防ぐことが可能となるのである。
【００１３】
また、本考案によれば、フェイスパッド４０の縁部が眼窩を囲む形状で顔面に当接することになるが、眼窩を囲む部位であれば概ね平坦でありフェイスパッド４０と顔面との間に隙間ができにくく、かかる点でも、染毛剤の侵入を効果的に防ぐことが可能となる。これに対し、一般的な水泳用ゴーグルはフェイスパッドの上縁が着用者の眼窩に位置することになり、眼窩と周辺頭蓋骨部位との間に大きめの湾曲部位が生じることになり、つまりは顔面とフェイスパッドとの間に隙間ができやすく、染毛剤が進入する恐れが大きいものである。
【００１４】
また、請求項２記載の考案では図１や図３に示すように、耳掛けストラップ５０が細巾部５１と広巾部５２を有するものである。それゆえ図７に示すように、着用時に細巾部５１を耳の上に、広巾部５２を耳の下に持ってくることが可能となり、より髪が被さる耳上方に細巾部５１を位置せしめることで、毛染め作業および洗い流す作業の邪魔を可及的に抑制可能となるのである。
【図面の簡単な説明】
【００１５】
【図１】本考案の正面図
【図２】同、平面図
【図３】同、背面図
【図４】図１におけるＡ−Ａ線端面図
【図５】耳掛けストラップの正面図
【図６】使用状態を示す正面側説明図
【図７】使用状態を示す側面側説明図
【考案を実施するための形態】
【００１６】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００１７】
図１は本考案に係る毛染め用ゴーグルの正面図を、図２はその平面図を、そして図３はその背面図を示している。毛染め用ゴーグル１０の左右一対のアイカップ２０，２０は、その中央を鼻バンド３０で連結され、アイカップ２０、２０の端部に設けたベルト取付部２１に、耳掛けストラップ５０が連結される。
【００１８】
図４に示すように、耳掛けストラップ５０は細巾部５１と広巾部５２から成るゴム製のバンド部材である。図１に示されるように、ベルト取付部２１に通したうえで、挟持部材５３，５３で細巾部５１と広巾部５２を挟持し、リング状に形成される、着用者の耳に掛けることが可能となるものである。
【００１９】
アイカップ２０，２０は、ポリカーボネート等の透明又は半透明の硬質合成樹脂により成形され、中央に位置するレンズ部２２の周縁にスカート部２３が顔面に沿う形状に一体成形される。そして、図５に示されるようにスカート部２３に設けられた凹部２３aに高分子弾性体製のフェイスパッド４０が嵌着される。
【００２０】
図３に示されるように、フェイスパッド４０は、中央が空洞の略楕円形状を呈するものであり、上部４１は巾が広く、下部４１は巾が狭く設けられている。上部４１の上縁は着用者の眉毛の上に届く程度の長さを有し、巾Ｈは概ね２５〜４５ミリメートル程度に設定されるものである。
【符号の説明】
【００２１】
１０・・毛染め用ゴーグル
２０・・アイカップ
３０・・鼻バンド
４０・・フェイスパッド
５０・・耳掛けストラップ
【図１】
0003189403.tif 000003
【図２】
0003189403.tif 000004
【図３】
0003189403.tif 000005
【図４】
0003189403.tif 000006
【図５】
0003189403.tif 000007
【図６】
0003189403.tif 000008
【図７】
0003189403.tif 000009